(57)【特許請求の範囲】
【請求項１】
所定の肉厚を有するコンクリート部材の端面同士を突き合わせて接合する雌雄金具による継手構造であって、前記雌雄金具のうちの雄金具は、膨大部と首下くびれ部を有する頭部が、一方のコンクリート部材の接合端面に設けられており、前記雌雄金具のうちの雌金具の筒壁には、バネ付勢された係合爪を前記雄金具の挿入方向と直角方向から前記雌金具の係合筒孔内に進退自在に設け、前記雄金具が前記係合爪を押し退けて進入した後、当該係合爪が前記雄金具の膨大部に係合可能に構成し、前記膨大部は、軸線方向に係合爪の高さ以上ずらして２つ設けられ、
前記係合爪は、雌金具の筒壁に前記係合筒孔の軸芯と直交して開設される爪孔に装着し、各爪孔は前記筒壁の円周方向にほぼ等間隔で複数個配設して１組をなしこれを複数組使用し、前記筒壁の円周方向に対して相互に位相差を設け、各爪孔に装着する各係合爪は、前記雄金具の一つの膨大部に前記各組毎に非同一の適正係合タイミングで係合させるため、前記各組間で係合筒孔の軸線方向に位置を係合爪の高さ以上ずらして設けた構成を特徴とする雌雄金具による継手構造。
【請求項２】
所定の肉厚を有するコンクリート部材の端面同士を突き合わせて接合する雌雄金具による継手構造であって、前記雌雄金具のうちの雄金具は、膨大部と首下くびれ部を有する頭部が、一方のコンクリート部材の接合端面に設けられており、前記雌雄金具のうちの雌金具の筒壁には、バネ付勢された係合爪を前記雄金具の挿入方向と直角方向から前記雌金具の係合筒孔内に進退自在に設け、前記雄金具が前記係合爪を押し退けて進入した後、当該係合爪が前記雄金具の膨大部に係合可能に構成し、前記膨大部は、軸線方向に係合爪の高さ以上ずらして２つ設けられ、
前記係合爪は、雌金具の筒壁に前記係合筒孔の軸芯と直交して開設される爪孔に装着し、各爪孔は前記筒壁の円周方向にほぼ等間隔で複数個配設して１組をなしこれを複数組使用し、各爪孔に装着する各係合爪は、前記雄金具の複数段の膨大部に前記各組毎に非同一の適正係合タイミングで係合させるため、前記各組間で係合筒孔の軸線方向に位置を係合爪の高さ以上ずらして設けた構成を特徴とする請求項１記載の雌雄金具による継手構造。
【請求項３】
前記係合爪の前記膨大部に対する係合面には、この膨大部に非同一の適正係合タイミングで円滑に係合させるための調整代として、この係合爪の内端側が、雄金具の進入方向にみて後退する側に若干の勾配を設けたことを特徴とする請求項１又は２に記載の雌雄金具による継手構造。
【請求項４】
前記コンクリート部材はコンクリート系セグメントであり、前記雌雄金具は前記セグメントのトンネル軸方向の接合端面に設けられている構成を特徴とする請求項１〜３のいずれかに記載の雌雄金具による継手構造を具備したコンクリート部材。
【請求項５】
前記コンクリート部材は覆工版、舗装版等であり、前記雌雄金具は前記覆工版、舗装版等の接合端面に設けられている構成を特徴とする請求項１〜３のいずれかに記載の雌雄金具による継手構造を具備したコンクリート部材。
【発明の詳細な説明】
【０００１】
【発明の属する技術分野】
本発明は、トンネル覆工用コンクリート系セグメントあるいは、その他、覆工版、舗装版等のプレキャストコンクリート部材に用いられる雌雄金具による継手構造および、それを用いたコンクリート部材に関するものである。
また、路面覆工版および路面や空港の滑走路、誘導路等に用いる舗装版等のプレキャストコンクリート部材では、ボルトによる部材結合部の目違いおよびボルト締結力の緩みによる段差の発生が、走行車の阻害および振動や騒音の発生という悪影響を及ぼすことになる。
【０００２】
【従来の技術】
比較的軟弱な地盤中にトンネルを構築する方法としては、掘削内面にセグメントを組立てるシールド工法が一般的である。このシールド工法に用いるセグメントでは、従来ボルトボックスを有し、トンネル円周方向とトンネル軸方向に相隣るセグメントを突き合わせて、ボルトによって結合した連結構造を用いることが多い。そのため、ボルト孔の芯合わせに手間を要するとともに、ボルト締結作業のために必要なボルトボックスの充填処理や継手金物の防錆処理が必要となっている。
【０００３】
【発明が解決しようとする課題】
前記従来のボルト継手を有するコンクリート部材には、次の課題がある。
▲１▼  二次覆工を行わない場合、継手金物がトンネル内面に露出しており、防食処理が必要となる。また、ボルトボックスの充填処理が必要となる。
▲２▼  下水道，排水路，放水路などの場合、内面平滑性が確保され、所定の粗度を確保するために二次覆工を行うことが必要となる。
▲３▼  ボルト継手では、ボルト締結に多くの時間を要し、セグメントなどのコンクリート部材組立には熟練工を必要とする。
【０００４】
本発明は、前記の課題を解決したもので、各種コンクリート部材、例えばトンネル覆工用セグメントなどにおいて、雌雄金具による継手構造および、それを用いたコンクリート部材を提供することを目的とする。
【０００５】
【課題を解決するための手段】
前記の課題を解決するため、本発明に係る雌雄金具による継手構造および、それを用いたコンクリート部材は次のように構成する。
請求項１記載の発明は、所定の肉厚を有するコンクリート部材の端面同士を突き合わせて接合する雌雄金具による継手構造であって、前記雌雄金具のうちの雄金具は、膨大部と首下くびれ部を有する頭部が、一方のコンクリート部材の接合端面に設けられており、前記雌雄金具のうちの雌金具の筒壁には、バネ付勢された係合爪を前記雄金具の挿入方向と直角方向から前記雌金具の係合筒孔内に進退自在に設け、前記雄金具が前記係合爪を押し退けて進入した後、当該係合爪が前記雄金具の膨大部に係合可能に構成し、前記膨大部は、軸線方向に係合爪の高さ以上ずらして２つ設けられ、前記係合爪は、雌金具の筒壁に前記係合筒孔の軸芯と直交して開設される爪孔に装着し、各爪孔は前記筒壁の円周方向にほぼ等間隔で複数個配設して１組をなしこれを複数組使用し、前記筒壁の円周方向に対して相互に位相差を設け、各爪孔に装着する各係合爪は、前記雄金具の一つの膨大部に前記各組毎に非同一の適正係合タイミングで係合させるため、前記各組間で係合筒孔の軸線方向に位置を係合爪の高さ以上ずらして設けた構成を特徴とする。
請求項２記載の発明は、所定の肉厚を有するコンクリート部材の端面同士を突き合わせて接合する雌雄金具による継手構造であって、前記雌雄金具のうちの雄金具は、膨大部と首下くびれ部を有する頭部が、一方のコンクリート部材の接合端面に設けられており、前記雌雄金具のうちの雌金具の筒壁には、バネ付勢された係合爪を前記雄金具の挿入方向と直角方向から前記雌金具の係合筒孔内に進退自在に設け、前記雄金具が前記係合爪を押し退けて進入した後、当該係合爪が前記雄金具の膨大部に係合可能に構成し、前記膨大部は、軸線方向に係合爪の高さ以上ずらして２つ設けられ、前記係合爪は、雌金具の筒壁に前記係合筒孔の軸芯と直交して開設される爪孔に装着し、各爪孔は前記筒壁の円周方向にほぼ等間隔で複数個配設して１組をなしこれを複数組使用し、各爪孔に装着する各係合爪は、前記雄金具の複数段の膨大部に前記各組毎に非同一の適正係合タイミングで係合させるため、前記各組間で係合筒孔の軸線方向に位置を係合爪の高さ以上ずらして設けた構成を特徴とする。
請求項３記載の発明は、請求項１記載の発明において、前記係合爪の前記膨大部に対する係合面には、この膨大部に非同一の適正係合タイミングで円滑に係合させるための調整代として、この係合爪の内端側が、雄金具の進入方向にみて後退する側に若干の勾配を設けたことを特徴とする請求項１又は２に記載の雌雄金具による継手構造。
請求項４記載の発明は、請求項１〜３記載のいずれかの発明において、前記コンクリート部材はコンクリート系セグメントであり、前記雌雄金具は前記セグメントのトンネル軸方向の接合端面に設けられている構成を特徴とする。
請求項５記載の発明は、請求項１〜３記載のいずれかの発明において、前記コンクリート部材は覆工版、舗装版等であり、前記雌雄金具は前記覆工版、舗装版等の接合端面に設けられている構成を特徴とする。
【０００６】
本発明によると、接合すべき２つのコンクリート部材又はセグメントを、その接合端面が互いに近づくように移動させることで、雌金具のバネ付勢された係合爪が雄金具の膨大部に係合し、両突き合わせ端面同士を締付けることができる。しかも、雌雄金具は、コンクリート部材又はセグメントの内面に露出しないので、二次覆工を行わなくても防食処理が不要であると共に、コンクリート部材やセグメントの内面を平滑面にできる。
【０００７】
さらに、雌金具に複数組設けられる各係合爪の各々を、各組毎に雄金具の膨大部に対して、その進入方向に位置をずらして構成し、各組の係合爪ごとに膨大部に対する適正係合タイミングがずれるように設けることにより、互いに係合する雌雄金具の配置の誤差等による進入深さのバラツキに対する許容範囲が拡がり、互いに結合する両コンクリート部材又は、両セグメントの突き合わせ端面を確実に結合できる。
【０００８】
【発明の実施の形態】
以下、本発明の実施形態として示すトンネル覆工用セグメントを対象として、図を参照して説明する。
図１は、本発明の実施形態としてセグメントリング間（つまり、トンネル軸方向）に本発明による雌雄金具を用いたコンクリート系のセグメント１を単体で示す内面図、図２は、図１のＡ−Ａ矢視図、図３は、図１のＢ−Ｂ矢視図、図４（Ａ）は、図１のＣ−Ｃ矢視図、図４（Ｂ）は、図１のＤ−Ｄ矢視図である。図５は前記セグメント１で構成したセグメントリング２を示し、同図の中心線から左側が切羽側のセグメントリング端面を、中心線から右側が坑口側のセグメントリング端面を示し、図６は図５の平面図を示し、４１はキーセグメントである。また、図７〜図１３は雌雄金具の第１，第２，第３実施形態を示す詳細図である。
【０００９】
図１〜図６によってセグメント１の概要を説明する。セグメント１のトンネル円周方向の一端面３には、先端をトンネル軸方向に向けたフック形状の継手部雄金具４が、トンネル軸方向に間隔をあけて２個（または複数個）設けてあり、他端面５に設けた凹部６に継手部雄金具４を嵌入したうえ、この凹部６内で継手部雄金具４をトンネル軸方向に若干移動することにより、この凹部６内に設けた継手部雌金具７に当該継手部雄金具４が係合し、トンネル円周のセグメント１間を結合することができる。
【００１０】
このように、継手部雄金具４と継手部雌金具７とでセグメント１同士をトンネル円周方向に結合して構成されたセグメントリング２間は、前記セグメント１のトンネル軸方向端面１２，１２ａに設けられたリング間雌金具（以下雌金具という）８と、リング間雄金具（以下雄金具という）９によって連結される。
【００１１】
前記雌金具８と雄金具９による継手構造が本発明の主要素をなすので、図７以下を参照して詳しく説明する。
【００１２】
図７，図８は、第１実施形態に係る雌雄金具による継手構造の第１実施形態を示し、図７は、図８（Ａ），（Ｂ）に（イ）−（イ）の切断線で示すように、雌雄継手部の軸芯を通り直角に切断した断面図、図８（Ａ），（Ｂ）は、それぞれ図７のＥ−Ｅ，Ｆ−Ｆ断面図である。図７，８において、雄金具９は、アンカー部１０と、アンカー部先端に設けられる頭部１１とからなる。アンカー部１０はセグメント１のコンクリート内に埋設されており、頭部１１は、一方のセグメント１の突き合わせ端面１２ａから突出している。この頭部１１は先端の膨大部１３と、膨大部１３に続くくびれ部１４と、くびれ部１４に続く第１ガイド面１５と第２ガイド面１６とを具備している。膨大部１３は前面側に雄側傾斜ガイド面１７を、背面側に背面係合部３２を有している。
【００１３】
雌金具８は、アンカー部１８と、アンカー部先端に設けられる係合筒孔１９と、筒壁２０とからなる。筒壁２０には、当該筒壁２０を内外に貫通し、かつその軸芯が係合筒孔１９の軸芯と直交する方向に複数の爪孔２１が設けられる。各爪孔２１は１８０°間隔で対向配置されて１組をなして２組設けられ、各組全体でみたとき、各組間における爪孔２１の間は９０°間隔の位相差をもって配置されている。この爪孔２１内に係合爪２２と、この係合爪２２を係合筒孔１９の中心方向にバネ付勢する円錐形のスプリング２３が収納されており、スプリング２３の外端は、筒壁２０の外周に装着した保護リング２４で封止され、爪孔２１からの脱出が阻止されるとともに、外部から筒壁２０内へのコンクリート余剰水等の侵入が防止されている。
【００１４】
係合爪２２の形状は、図９（Ａ）〜（Ｅ）に示される。図９において、（Ａ）は平面図、（Ｂ）は底面図、（Ｃ）は正面図、（Ｄ）は側面図、（Ｅ）は背面図を示す。同図（Ａ），（Ｂ）に示すように、係合爪２２は平面および底面からみて円形をなし、円形上端部に円周から突出する小突起２５を有している。また、同図（Ｃ）〜（Ｅ）に示すように、係合爪２２は周面先端部（図の下側）を一部切削して形成されたフラットな係合面２６を有し、係合面２６の外方端（図の上側）にはわずかな曲率部を介して連続する突出段部２７を有し、この突出段部２７を介してスライド面２８を形成し、このスライド面２８の外方端（図の上端）に小突起２５が位置している。フラットな係合面２６はその内端側が雄金具９の進入方向にみて後退する方向に若干（例えば３度〜１０度）の勾配θを有しており、この勾配θを利用して両突き合わし端面１２，１２ａの締結調整代を確保するように構成している。係合爪２２の内端には、係合筒孔１９の軸芯と同芯の円弧状の凹み２９が形成され、この凹み２９の後端から係合爪２２の後部方向に向けて、係合筒孔１９の軸芯に対し約４５度の勾配θ1 で爪側ガイド斜面３０が形成されている。
【００１５】
前記構造の係合爪２２が、図７，８に示す雌金具８の筒壁２０に開設された爪孔２１に、係合筒孔１９の内外方向に可動的に挿入される。爪孔２１の断面形状は、係合爪２２の最大径部の断面形状に合わせて円形であり、かつ内外方向の中間部から外端にかけて円弧小凹溝３１が形成される。この凹溝３１に係合爪２２の円弧小突起２５がスライド自在に嵌合しており、これにより係合爪２は非回転的に、爪孔２０内を内外方向にスライドできる。
【００１６】
また、１８０度間隔で対向位置する係合爪２２を１組として、この組が２組、９０度間隔で配設された４つの係合爪２２のうち、図７，図８に示すように、対向位置する各組の係合爪２２の軸芯は、雌雄金具８，９の軸線方向に若干位置をずらして設けられている。（この部分を（ニ）で示す）それにより、雄金具９の雌金具８に対する相対的進入の深さが変わっても、膨大部１３には雌雄金具８，９の軸線方向に位置ずれして配設されているいずれかの組の係合爪２２が適正に係合できる。つまり、雌雄金具８，９の係合の深さのバラツキによる不完全係合という事態が生じない構成している。
【００１７】
第１実施形態における継手構造の作用を説明する。
相対するセグメントリング２をトンネル軸方向に連結するには、例えば図７において、一方のセグメント１のトンネル軸方向突き合わせ端面１２を他方のセグメント１の突き合わせ端面１２ａに互いに近接して突き合わせる。
【００１８】
このとき、両突き合わせ端面１２，１２ａが近づくにつれて、雄金具９の頭部１１の膨大部１３が、雌金具８の開口４０から係合筒孔１９内に進入する。このとき、膨大部１３の雄側傾斜ガイド面１７が、各係合爪２２の爪側ガイド斜面３０に当たってこれを押し拡げる方向にスライドさせることで、係合爪２２を円錐形スプリング２３に抗して押開きながら進入し、膨大部１３が係合爪２２の内端面を乗り越えた後、この係合爪２２がスプリング２３の弾発力で係合筒孔１９の軸芯方向に移動することで、係合爪２２のフラットな係合面２６が膨大部１３の背面係合部３２と係合する。これにより、雄金具９が雌金具８の係合筒孔１９から脱嵌するのが阻止され、かつ両セグメント１の突き合わせ端面１２，１２ａの突き合わせ接合状態が保持される。
【００１９】
また、複数組の係合爪２２は、雄金具９の進入方向に対して位置がずれて設けられているので、各係合爪２２の膨大部１３に対する係合の深さは、図７のように各組の係合爪２２で異なっている。つまり、図７において、セグメント１の突き合わせ端面１２，１２ａが接合したときにおける膨大部１３の背面係合部３２には、軸線方向最適位置の係合爪２２（図７では、上側の係合爪２２）の凹み２９が、雄金具９のくびれ部１４の外周に当接しかつ、若干の勾配をもつ係合面２６を介して最も深くせり合って係合しているのに対し、図示下側の係合爪２２の凹み２９は、雄金具９のくびれ部１４の外周とは離間したままで、その係合面２６と膨大部１３の背面係合部３２とが雄金具挿入方向にみて非適正係合位置にあるため浅くせり合って係合している。
【００２０】
また、寸法誤差等により、雄金具９の膨大部１３が図示より、より深く進入して係合するときは、下側の係合爪２２の凹み部２９が雄金具９のくびれ部１４の外周に当接し、膨大部１３とより深くせり合って適正に係合する。このとき、上側の係合爪２２は同様に深くせり合うものの、当該係合爪２２のフラットな係合面２６と膨大部１３の背面係合部３２とは、わずかながらも離間した状態で収まることになる。
【００２１】
このように、複数組の係合爪２２の軸芯を雌雄金具８，９の軸線方向に位置をずらし配設することにより、当該雌雄金具８，９の進入深さのバラツキに対する係合許容範囲が拡がり、セグメントの成型による雌雄金具の配置誤差や組立誤差等に拘わらず、互いに結合する両部材又は、両セグメントの突き合わせ端面１２，１２ａにおける確実な結合を常に確保できる。
【００２２】
図７に示すように、雌雄金具８，９が互いに嵌り合って係合したとき、膨大部１３と係合筒孔１９の孔底部３３との間に若干のクリアランス３４が形成されている。また、両セグメント１の突き合わせ端面１２，１２ａは、当該端面に配設される止水パッキングの圧縮変形量等を見込んで０．５ｍｍ〜１．０ｍｍ程度のクリアランスがあっても雌雄金具８，９が係合できるように設計してある。この場合、雄金具９の雌金具８への進入位置がずれても、前述の構成による許容範囲で、少なくともいずれか一組の係合爪２２が膨大部１３に適正に係合できる。第１実施形態は、後述する第２実施形態に比べて、係合爪２２と雄金具９の膨大部１３との掛かり代を少なく設計する場合に適している。
【００２３】
また、雌雄金具８，９の継手部には、引張力，剪断力が作用する。とくに、引張力が作用するとき、係合爪２２には回転力が作用するが、図のように、係合爪２２と爪孔２１とのスライド接触面２８ａは十分広く存在し、かつ係合爪２２に作用する回転力に対しては、爪孔２１の内端部両側壁３５，３６が反力壁となって、係合爪２２の前記回転力を確実に受け止めるので、雌雄金具８，９の継手部に作用する大きな引張力に対して十分に耐える継手構造である。
また、  剪断力が作用するときは、雌金具８の係合筒孔１９の内径寸法と雄金具９の膨大部１３の内径寸法との差を、雌金具８の開口部４０ａの内径寸法と雄金具９の第２ガイド面１６との差より大きく設定することで、雄金具９の第２ガイド面１６が雌金具８の開口部４０ａに当接しその接触支圧抵抗力で抗することができるので、継手部に作用する大きな剪断力に対しても耐えることが可能である。
【００２４】
図１０，図１１は、第２実施形態の継手構造を示す。この第２実施形態では、爪孔２１の深さを、第１実施形態に比べて長く設定し、かつこれに挿入する係合爪２２の長さも第１実施形態に比べて長く設定してある。また、それに伴って爪孔２１に挿入する係合爪２２を付勢する円錐型スプリング２３の押さえ構造も第１実施形態と相違している。
【００２５】
つまり、第１実施形態では、雌金具８の筒壁２０の外周は円状をなし、円錐型スプリング２３を押さえる保護リング２４が円環状装着されていた。これに対し、第２実施形態では、雌金具８の筒壁２０において、各係合爪２２の組間で９０度間隔の位相差をもって設けられた爪孔２１の中間部を図示のように凹状３７に形成し、これによって形成される各爪孔２１の周囲の壁に先端係合部３８を形成し、この先端係合部３８にパッキン付きキャップ３９をカシメ装着することで爪孔２１内の円錐型スプリング２３を押さえている。他の構成は第１実施形態と同じである。
また、先端係合部３８にネジを形成しかつ、図１１、図１２のキャップに代え、各爪孔２１の外方端を平面形状にして、このネジに底部が平面形状のパッキン付きキャップ３９を螺着してもよい。
【００２６】
この第２実施形態によると、前記筒壁２０に凹状部３７を形成する分、第１実施形態に比べて材料費を低減でき、かつスペース的に有利となる。さらに、これに関連して爪孔２１の深さを、第１実施形態に比べて長く設定することができ、それに伴って爪孔２１に挿入する係合爪２２の寸法を長寸に構成できるので、係合爪２２と爪孔２１とのスライド接触面２８ａを大きくとれる。したがって第２実施形態は、雌雄金具８，９の継手部に作用する大きな引張力に対してもより有効に作用するよう、両部材の掛かりを大きく設定する場合に適している。
【００２７】
図１２，図１３は第３実施形態の継手構造を示す。第３実施形態は次の点で第１実施形態と相違している。つまり、第１実施形態では、配置角度を異にする複数組の係合爪２２は、雌雄金具８，９の軸線方向に若干位置をずらして設けられているが、いずれも雄金具９に設けた１つの膨大部１３の背面係合部３２に位置ずれして係合する構成である。
これに対して、第３実施形態では、円周方向に対をなす第１と第２の２組の係合爪２２ａ，２２ｂが、係合筒孔１９の軸線方向に対して大きく位置をずらして配置され、係合孔２１ａ，２１ｂに装着されている。他方、雄金具９には、第１と第２の２つの膨大部１３ａ，１３ｂが前記軸線方向に位置をずらして設けられており、第１の膨大部１３ａに第１の係合爪２２ａが係合し、第２の膨大部１３ｂに第２の係合爪２２ｂが係合するように設けられている。
【００２８】
しかも、図１２に示すように、雄金具９と雌金具８の進入の深さにおいて、第１の係合爪２２ａと第１の膨大部１３ａとが適正係合状態となる進入深さと、第２の係合爪２２ｂと第２の膨大部１３ｂとが適正係合状態となる進入深さを変えてある。したがって、第１実施形態と同様、雄金具９の雌金具８に対する進入深さが変わっても、第１の膨大部１３ａと第１の係合爪２２ａ又は、第２の膨大部１３ｂと第２の係合爪２２ｂのいずれかが適正係合状態で係合するので、常に雌雄金具８，９の確実な係合状態を確保できる。他の構成は第１実施形態と同じであるので、それと同一要素には同一符号を付して説明を省略する。
【００２９】
第３実施形態が第１実施形態と比べて有利な点は、第１と第２の係合爪２２ａ，２２ｂの軸芯の距離を大きくとれるので、構造的強度が第１実施形態より向上し、雌雄金具８，９の継手部により大きな引張力，剪断力が作用する場合の継手構造に適用するのに適している。
【００３０】
なお、第１実施形態、第２実施形態を示す、図７、図８、図１０および図１１において、係合爪２２は１組を１８０度間隔の２個として、それを２組使用しているが、１組を３個以上の複数個また、３組以上の複数組にしてもよく、さらに、これらを任意に組み合わせてもよい。
さらに、図１３の例では第１と第２の膨大部１３ａ，１３ｂと係合爪２２ａ，２２ｂを２段設けた例を示すが、３段以上の複数段に設けてもよい（但し、図示省略する）。
【００３１】
【発明の効果】
本発明に係るコンクリート部材の継手構造によると次の効果が奏される。
▲１▼  継手金物である雌雄金具がコンクリート部材の表面（例えばトンネル部材に適用した場合、トンネル内面）に露出せず、防食処理の必要がなくなる。また、ボルトボックスも不要となるので、その孔埋めも不要である。
▲２▼  ボルトボックスの欠損部がコンクリート部材の表面（例えばトンネル内面）に無いので、平滑性が確保され、下水道等で必要とされる粗度を確保でき、さらに、二次覆工も不要である。
▲３▼  継手構造がワンタッチ構造であり、従来のボルト結合に比べ、コンクリート部材（例えばセグメント）の組立が効率よく行われ、経済性に優れている。
▲４▼  比較的大断面のトンネルでも、コンクリート部材に埋設固定されている雌金具、雄金具以外に締結用の金具類や工具を一切必要としないので、高所作業中での危険物落下という危険性がない。
▲５▼  雌金具、雄金具ともコンクリート部材に埋設固定されているので剪断力に対する固定度が高い。そのためトンネル部材に適用した場合には目違いが極めて小さく、セグメントリングの場合その真円度が確保しやすく、組立作業性の向上、止水性の向上を図ることが可能となる。また、路面覆工版および路面や空港の滑走路、誘導路等に用いる舗装版等のプレキャストコンクリート部材では、目違いが小さいことにより、コンクリート部材間の段差の発生が小さくなり、走行車両等の走行性の阻害および振動や騒音の発生という悪影響を極小化することが可能である。よびボルト締結力の緩みによる段差の発生が、走行
【図面の簡単な説明】
【図１】本発明の実施形態に係るセグメントの内面図である。
【図２】図１のＡ−Ａ矢視図である。
【図３】図１のＢ−Ｂ矢視図である。
【図４】（Ａ）は図１のＣ−Ｃ矢視図、（Ｂ）は図１のＤ−Ｄ矢視図である。
【図５】本発明の実施形態に係るセグメントリングの端面図で、中心から左側は切羽側を示し、右側は坑口側を示す図である。
【図６】図５のセグメントリングの平面図で、キーセグメント部分を示す図である。
【図７】第１実施形態に係る雌雄金具による継手構造の縦断側面図で、図８（Ａ），（Ｂ）に（イ）−（イ）の切断線で示すように、雌雄継手部の軸芯を通り直角に切断した図である。
【図８】（Ａ）は図７のＥ−Ｅ断面図、（Ｂ）はＦ−Ｆ断面図である。
【図９】（Ａ），（Ｂ），（Ｃ），（Ｄ），（Ｅ）は、係合爪の平面図，底面図，正面図，側面図，背面図である。
【図１０】第２実施形態に係る雌雄金具による継手構造の縦断側面図で、図１１（Ａ），（Ｂ）に（ロ）−（ロ）の切断線で示すように、雌雄継手部の軸芯を通り直角に切断した図である。
【図１１】（Ａ）は図１０のＧ−Ｇ断面図、（Ｂ）は、図１０のＨ−Ｈ断面図である。
【図１２】第３実施形態に係る雌雄金具の縦断側面図で、図１３（Ａ），（Ｂ）に（ハ）−（ハ）の切断線で示すように、雌雄継手部の軸芯を通り直角に切断した図である。ある。
【図１３】（Ａ）は図１２のＩ−Ｉ断面図、（Ｂ）は図１２のＪ−Ｊ断面図である。
【符号の説明】
１  セグメント
２  セグメントリング
３  一端面
４  継手部雄金具
５  他端面
６  凹部
７  継手部雌金具
８  リング間雌金具（雌金具という）
９  リング間雄金具（雄金具という）
１０  アンカー部
１１  頭部
１２  突き合わせ端面
１３  膨大部
１４  くびれ部
１５  第１ガイド面
１６  第２ガイド面
１７  雄側傾斜ガイド面
１８  アンカー部
１９  係合筒孔
２０  筒壁
２１  爪孔
２２  係合爪
２３  円錐形スプリング
２４  保護リング
２５  小突起
２６  係合面
２７  突出段部
２８  スライド面
２９  凹み
３０  爪側ガイド斜面
３１  凹溝
３２  背面係合部
３３  孔底部
３４  クリアランス
３５  内端部両側壁
３６  内端部両側壁
３７  凹状部
３８  先端係止部
３９  パッキン付きキャップ
４０  開口
４１ａ  開口部
４１  キーセグメント
【図１】
0004040196.tif 000002
【図２】
0004040196.tif 000003
【図３】
0004040196.tif 000004
【図４】
0004040196.tif 000005
【図５】
0004040196.tif 000006
【図６】
0004040196.tif 000007
【図７】
0004040196.tif 000008
【図８】
0004040196.tif 000009
【図９】
0004040196.tif 000010
【図１０】
0004040196.tif 000011
【図１１】
0004040196.tif 000012
【図１２】
0004040196.tif 000013
【図１３】
0004040196.tif 000014